(57)【特許請求の範囲】
【請求項１】
コアと、このコアを覆う透明なカバーとを備えており、
上記カバーの表面が、多数のディンプルと、このディンプル以外の部分であるランドとを有しており、
（１）ＣＩＥＬＡＢ表示系における指数ａ＊及びｂ＊をそれぞれｘ軸及びｙ軸とするｘｙ平面、
（２）上記ｘｙ平面上に存在し、その中心がこのｘｙ平面の原点にあり、半径が１５である円、
（３）上記ｘｙ平面上に存在し、上記原点を通過し、隣接する直線との交角が４５°である４本の直線、
及び
（４）上記ｘｙ平面上に存在し、上記円の外側であってかつ隣接する２本の直線に挟まれた８つのゾーン
が想定されたとき、
上記コアのうち無色透明である層を除いた最外層の色相のｘｙ座標が、上記８つのゾーンのうちのいずれかに含まれ、
上記カバーの色相のｘｙ座標が、上記最外層の色相が含まれるゾーンとは異なり、かつ上記最外層の色相が含まれるゾーンと隣接するゾーンとも異なるゾーンに含まれており、
上記ディンプルの最深部の直下におけるカバーの厚みＴ１と、上記ランドの直下におけるカバーの厚みＴ２との比（Ｔ１／Ｔ２）が０．５０以上０．８０以下であるゴルフボール。
【請求項２】
上記カバーが樹脂組成物からなり、この樹脂組成物が、基材樹脂と、顔料又は染料とを含んでおり、この顔料及び染料の合計量が、基材樹脂１００質量部に対して０．５質量部以上３．０質量部以下である請求項１に記載のゴルフボール。
【請求項３】
上記カバーが樹脂組成物からなり、この樹脂組成物が、基材樹脂と、二酸化チタンとを含んでおり、この二酸化チタンの量が、基材樹脂１００質量部に対して０．０１質量部以上０．１質量部以下である請求項１又は２に記載のゴルフボール。
【請求項４】
上記カバーを覆うクリアー層を備えており、このクリアー層がマトリクス樹脂中に分散した多数の偏光粒子を含んでいる請求項１から３のいずれかに記載のゴルフボール。
【発明の詳細な説明】
【技術分野】
【０００１】
本発明は、ゴルフボールに関する。詳細には、本発明は、着色されたゴルフボールに関する。
【背景技術】
【０００２】
ゴルフボールは、コアとカバーとを備えている。一般的なゴルフボールは、白色に着色されている。着色は、カバーに二酸化チタンが分散することで達成されている。二酸化チタンの隠蔽力は、高い。二酸化チタンにより、コアの色が隠蔽される。ペイント層に白色顔料が分散することで、着色が達成されることもある。
【０００３】
ほとんどのゴルフボールは白色なので、ゴルファーが、他人のボールを自らのボールと誤認することがある。他人のボールを打撃したゴルファーには、ペナルティが科される。
【０００４】
ゴルフボールには、マークが印刷されている。マークは、ブランド及びボール番号を含む。ゴルファーは、ブランドにより、自らのボールを他人のボールと識別することができる。ゴルファーは、ボール番号によっても、自らのボールを他人のボールと識別することができる。ゴルファーは、ボールに近づき、マークに基づいてボールを識別する。遠方からでは、マークに基づく識別は困難である。
【０００５】
特開平１０−１５５９３７号公報には、カバーが着色されたゴルフボールが開示されている。このゴルフボールは、「カラーボール」と称されている。カラーボールでは、カバーに多量の顔料が分散している。カラーボールは、白色ボールと容易に識別されうる。
【０００６】
特開２００７−１６００８７公報には、カバーが集光性染料を含むゴルフボールが開示されている。このゴルフボールは、視認性に優れている。
【０００７】
特開２００９−４５３４７公報には、カバーが着色され、かつペイント層が偏光材料を含んだゴルフボールが開示されている。このゴルフボールは、偏光性の外観を呈する。このゴルフボールは、白色ボールと容易に識別されうる。
【０００８】
特開２０１０−２４６６４２公報には、カバーが蛍光顔料を含み、中間層も蛍光顔料を含むゴルフボールが開示されている。カバーは、中間層の色相と同じ系統の色相を呈する。
【先行技術文献】
【特許文献】
【０００９】
【特許文献１】特開平１０−１５５９３７号公報
【特許文献２】特開２００７−１６００８７公報
【特許文献３】特開２００９−４５３４７公報
【特許文献４】特開２０１０−２４６６４２公報
【発明の概要】
【発明が解決しようとする課題】
【００１０】
近年、カラーボールが普及しつつある。１つのパーティの中で複数人のゴルファーが、カラーボールを使用する場合も多い。一方のゴルファーのゴルフボールの色相が他方のゴルファーのゴルフボールの色相と同一であるとき、一方のゴルファーは自らのゴルフボールを他方のゴルファーのゴルフボールと識別することができない。一方のゴルファーは、他方のゴルファーのゴルフボールの色相とは異なる色相のゴルフボールを使用する必要がある。ゴルファーは、識別性に優れたゴルフボールを望んでいる。
【００１１】
本発明の目的は、識別性に優れたゴルフボールの提供にある。
【課題を解決するための手段】
【００１２】
本発明に係るゴルフボールは、コアと、このコアを覆うカバーとを備える。このカバーの表面は、多数のディンプルと、このディンプル以外の部分であるランドとを有する。
（１）ＣＩＥＬＡＢ表示系における指数ａ＊及びｂ＊をそれぞれｘ軸及びｙ軸とするｘｙ平面、
（２）上記ｘｙ平面上に存在し、その中心がこのｘｙ平面の原点にあり、半径が１５である円、
（３）上記ｘｙ平面上に存在し、上記原点を通過し、隣接する直線との交角が４５°である４本の直線、
及び
（４）上記ｘｙ平面上に存在し、上記円の外側であってかつ隣接する２本の直線に挟まれた８つのゾーン
が想定されたとき、コアのうち無色透明である層を除いた最外層の色相のｘｙ座標は、８つのゾーンのうちのいずれかに含まれる。カバーの色相のｘｙ座標は、上記最外層の色相が含まれるゾーンとは異なり、かつ上記最外層の色相が含まれるゾーンと隣接するゾーンとも異なるゾーンに含まれる。ディンプルの最深部の直下におけるカバーの厚みＴ１と、ランドの直下におけるカバーの厚みＴ２との比（Ｔ１／Ｔ２）は、０．５０以上０．８０以下である。
【００１３】
カバーは、基材樹脂と、顔料又は染料とを含む樹脂組成物から成形されうる。好ましくは、この顔料及び染料の合計量は、基材樹脂１００質量部に対して０．５質量部以上３．０質量部以下である。
【００１４】
カバーは、基材樹脂と、二酸化チタンとを含む樹脂組成物から成形されうる。好ましくは、この二酸化チタンの量は、基材樹脂１００質量部に対して０．０１質量部以上０．１質量部以下である。
【００１５】
ゴルフボールが、カバーを覆うクリアー層を備えてもよい。好ましくは、このクリアー層は、マトリクス樹脂中に分散した多数の偏光粒子を含む。
【発明の効果】
【００１６】
本発明に係るゴルフボールでは、ディンプルの色相とランドの色相とが異なる。このゴルフボールは、識別性に優れる。
【図面の簡単な説明】
【００１７】
【図１】図１は、本発明の一実施形態に係るゴルフボールが示された断面図である。
【図２】図２は、図１のゴルフボールの一部が示された拡大断面図である。
【図３】図３は、図１のゴルフボールの中間層及びカバーの色相のゾーンが説明されるためのチャートである。
【発明を実施するための形態】
【００１８】
以下、適宜図面が参照されつつ、好ましい実施形態に基づいて本発明が詳細に説明される。
【００１９】
図１及び２に示されたゴルフボール２は、球状のコア４と、このコア４の外側に位置するカバー６と、カバー６の外側に位置するクリアー層８とを備えている。コア４は、球状のセンター１０と、このセンター１０の外側に位置する中間層１２とを備えている。中間層１２は、コア４の中の最外層である。カバー６の表面には、多数のディンプル１４が形成されている。カバー６の表面のうちディンプル１４以外の部分は、ランド１６である。
【００２０】
このゴルフボール２の直径は、４０ｍｍから４５ｍｍが好ましい。米国ゴルフ協会（ＵＳＧＡ）の規格が満たされるとの観点から、直径は４２．６７ｍｍ以上が特に好ましい。空気抵抗抑制の観点から、直径は４４ｍｍ以下がより好ましく、４２．８０ｍｍ以下が特に好ましい。このゴルフボール２の質量は、４０ｇ以上５０ｇ以下が好ましい。大きな慣性が得られるとの観点から、質量は４４ｇ以上がより好ましく、４５．００ｇ以上が特に好ましい。ＵＳＧＡの規格が満たされるとの観点から、質量は４５．９３ｇ以下が特に好ましい。
【００２１】
センター１０は、ゴム組成物が架橋されることによって形成されている。このゴム組成物の基材ゴムとして、ポリブタジエン、ポリイソプレン、スチレン−ブタジエン共重合体、エチレン−プロピレン−ジエン共重合体及び天然ゴムが例示される。２種以上のゴムが併用されてもよい。反発性能の観点から、ポリブタジエンが好ましく、特にハイシスポリブタジエンが好ましい。
【００２２】
センター１０の架橋には、共架橋剤が好適に用いられる。反発性能の観点から好ましい共架橋剤は、アクリル酸亜鉛、アクリル酸マグネシウム、メタクリル酸亜鉛及びメタクリル酸マグネシウムである。ゴム組成物が、共架橋剤と共に有機過酸化物を含むことが好ましい。好ましい有機過酸化物としては、ジクミルパーオキサイド、１，１−ビス（ｔ−ブチルパーオキシ）−３，３，５−トリメチルシクロヘキサン、２，５−ジメチル−２，５−ジ（ｔ−ブチルパーオキシ）ヘキサン及びジ−ｔ−ブチルパーオキサイドが挙げられる。
【００２３】
センター１０のゴム組成物が、着色剤を含んでもよい。中間層１２及びカバー６が透明な場合、センター１０の色相がゴルフボール２の色相に影響を与える。着色剤としては、染料及び顔料が挙げられる。センター１０が白色に着色される場合、ゴム組成物が二酸化チタンを含んでもよい。
【００２４】
センター１０のゴム組成物には、充填剤、硫黄、加硫促進剤、硫黄化合物、老化防止剤、可塑剤、分散剤等の各種添加剤が、必要に応じて適量配合される。ゴム組成物に、合成樹脂粉末又は架橋されたゴム粉末が配合されてもよい。
【００２５】
センター１０の直径は３０．０ｍｍ以上が好ましく、３８．０ｍｍ以上が特に好ましい。センター１０の直径は４２．０ｍｍ以下が好ましく、４１．５ｍｍ以下が特に好ましい。センターが２以上の層から構成されてもよい。センターが、その表面にリブを備えてもよい。センターが中空であってもよい。
【００２６】
中間層１２は、樹脂組成物からなる。この樹脂組成物に好適なポリマーは、アイオノマー樹脂である。好ましいアイオノマー樹脂としては、α−オレフィンと炭素数が３以上８以下のα，β−不飽和カルボン酸との二元共重合体が挙げられる。好ましい他のアイオノマー樹脂としては、α−オレフィンと炭素数が３以上８以下のα，β−不飽和カルボン酸と炭素数が２以上２２以下のα，β−不飽和カルボン酸エステルとの三元共重合体が挙げられる。この二元共重合体及び三元共重合体において、好ましいα−オレフィンはエチレン及びプロピレンであり、好ましいα，β−不飽和カルボン酸はアクリル酸及びメタクリル酸である。この二元共重合体及び三元共重合体において、カルボキシル基の一部は金属イオンで中和されている。中和のための金属イオンとしては、ナトリウムイオン、カリウムイオン、リチウムイオン、亜鉛イオン、カルシウムイオン、マグネシウムイオン、アルミニウムイオン及びネオジムイオンが例示される。
【００２７】
アイオノマー樹脂に代えて、中間層１２に他のポリマーが用いられてもよい。他のポリマーとしては、ポリスチレン、ポリアミド、ポリエステル、ポリオレフィン及びポリウレタンが例示される。２種以上のポリマーが併用されてもよい。
【００２８】
中間層１２の樹脂組成物は、着色剤を含む。着色剤として、染料及び顔料が用いられうる。着色剤により、中間層１２が、橙、黄、黄緑、青、ピンク等に着色されうる。
【００２９】
橙に着色されるときの着色剤としては、デイグロ社の「ＧＰＸ１７」、「ＧＰＬ１５」、「ＺＱ−１４」及び「ＺＱ−１７が例示される。
【００３０】
黄に着色されるときの着色剤としては、デイグロ社の「ＺＱ−１７」及び「ＧＰＸ１７」並びに大日精化工業社の「ＰＥ−Ｄ  ０７Ｅ  ５０２  イエロー」が例示される。
【００３１】
黄緑に着色されるときの着色剤としては、住友ケムテックス社の「Ｙｅｌｌｏｗ  ＦＬ７Ｇ」及び「Ｔｕｒｑ．Ｂｌｕｅ  Ｇ」が例示される。
【００３２】
青に着色されるときの着色剤としては、大日精化工業社の「ＰＥ−Ｄ  １０Ｇ  ７６５」、「ＰＥ−Ｄ  ０６Ｇ  １７７  ブルー」及び「ＰＥ−Ｄ  ０６Ｇ  １７８  ブルー」が例示される。
【００３３】
ピンクに着色されるときの着色剤としては、デイグロ社の「ＧＰＬ１１」及び大日精化工業社の「ＰＥ−Ｄ  ０６Ｃ  ５７９  ピンク」が例示される。
【００３４】
中間層１２は、透明であってもよく、不透明であってもよい。不透明な中間層１２により、センター１０の色相が隠蔽される。中間層１２が透明である場合、センター１０及び中間層１２からなる球体の色相に、センター１０が影響を与える。中間層１２が透明である場合、センター１０の色相は白が好ましい。中間層１２が二酸化チタン等の隠蔽剤を含むことにより、この中間層１２の不透明が達成されうる。隠蔽剤を全く含まないか、少量含む中間層１２は、透明である。本発明において透明とは、いわゆる「半透明」も含む概念である。
【００３５】
中間層１２が、無色透明であってもよい。無色透明である中間層１２は、着色剤を含まず、かつ隠蔽剤も含まない。中間層１２が無色透明であるとき、センター１０が、「コア４のうち無色透明である層を除いた最外層」である。
【００３６】
中間層１２の厚みは０．２ｍｍ以上が好ましく、０．３ｍｍ以上が特に好ましい。中間層１２の厚みは２．５ｍｍ以下が好ましく、２．２ｍｍ以下が特に好ましい。中間層１２の比重は０．９０以上が好ましく、０．９５以上が特に好ましい。中間層１２の比重は１．１０以下が好ましく、１．０５以下が特に好ましい。
【００３７】
カバー６は、樹脂組成物からなる。この樹脂組成物の基材ポリマーは、ポリウレタンである。熱可塑性ポリウレタン及び熱硬化性ポリウレタンが用いられうる。生産性の観点から、熱可塑性ポリウレタンが好ましい。熱可塑性ポリウレタンは、ハードセグメントとしてのポリウレタン成分と、ソフトセグメントとしてのポリエステル成分又はポリエーテル成分とを含む。
【００３８】
ポリウレタン成分の硬化剤としては、脂環式ジイソシアネート、芳香族ジイソシアネート及び脂肪族ジイソシアネートが例示される。特に、脂環式ジイソシアネートが好ましい。脂環式ジイソシアネートは主鎖に二重結合を有さないので、カバー６の黄変が抑制される。脂環式ジイソシアネートとしては、４，４’−ジシクロヘキシルメタンジイソシアネート（Ｈ１２ＭＤＩ）、１，３−ビス（イソシアナトメチル）シクロヘキサン（Ｈ６ＸＤＩ）、イソホロンジイソシアネート（ＩＰＤＩ）及びトランス−１，４−シクロヘキサンジイソシアネート（ＣＨＤＩ）が例示される。汎用性及び加工性の観点から、Ｈ１２ＭＤＩが好ましい。
【００３９】
ポリウレタンに代えて、カバー６に他のポリマーが用いられてもよい。他のポリマーとしては、アイオノマー樹脂、ポリスチレン、ポリアミド、ポリエステル及びポリオレフィンが例示される。２種以上のポリマーが併用されてもよい。
【００４０】
カバー６の樹脂組成物は、着色剤を含む。着色剤として、染料及び顔料が用いられうる。着色剤により、カバー６が、橙、黄、黄緑、青、ピンク等に着色されうる。中間層１２に関して言及された着色剤が、カバー６にも用いられうる。
【００４１】
カバー６は透明である。このカバー６における二酸化チタン等の隠蔽剤の量は、少ない。カバー６が、隠蔽剤を全く含まなくてもよい。カバー６が透明なので、ゴルフボール２の色相に、中間層１２が影響を与える。
【００４２】
前述の通り、このゴルフボール２はディンプル１４を有している。図２において、符号Ｔ１で示されているのはディンプル１４の最深部の直下におけるカバー６の厚みであり、符号Ｔ２で示されているのはランド１６の直下におけるカバー６の厚みである。厚みＴ１は、厚みＴ２よりも小さい。
【００４３】
厚みＴ１が小さいので、このゴルフボール２のディンプル１４の色相は、中間層１２の色相の影響を強く受ける。厚みＴ２が大きいので、このゴルフボール２のランド１６の色相は、中間層１２の色相の影響をあまり受けない。カバー６の色相と中間層１２の色相とが異なる場合、このゴルフボール２では、ディンプル１４の色相とランド１６の色相とが異なる。
【００４４】
図３に示されたチャートにおいてｘ軸（横軸）及びｙ軸（縦軸）は、それぞれ、ＣＩＥＬＡＢ表示系における指数ａ＊及びｂ＊である。指数ａ＊及びｂ＊は、下記数式によって算出される。
ａ＊ ＝ ５００（（Ｘ／Ｘｎ）１／３ − （Ｙ／Ｙｎ）１／３）
ｂ＊ ＝ ２００（（Ｙ／Ｙｎ）１／３ − （Ｚ／Ｚｎ）１／３）
これら数式において、Ｘ、Ｙ及びＺはＸＹＺ表示系における三刺激値であり、Ｘｎ、Ｙｎ及びＺｎは完全拡散反射面の三刺激値である。ＣＩＥＬＡＢ表示系は、国際照明委員会（ＣＩＥ）によって１９７６年に決定された規格である。日本では、「ＪＩＳ  Ｚ  ８７２９」において、ＣＩＥＬＡＢ表示系が採用されている。
【００４５】
ａ＊及びｂ＊は、色相及び彩度と相関する指数である。ａ＊のマイナス方向は緑方向であり、プラス方向は赤方向である。ｂ＊のマイナス方向は青方向であり、プラス方向は黄方向である。
【００４６】
図３において符号１８で示されているのは、ｘｙ平面上に存在し、その中心がこのｘｙ平面の原点Ｏにあり、半径が１５である円である。原点Ｏの座標は、（０，０）である。点Ｐ１及びＰ３は、それぞれ、円１８とｙ軸との交点である。点Ｐ１の座標は（０，１５）であり、点Ｐ３の座標は（０，−１５）である。点Ｐ２及びＰ４は、それぞれ、円１８とｘ軸との交点である。点Ｐ２の座標は（１５，０）であり、点Ｐ４の座標は（−１５，０）である。円１８の内側は、彩度が１５未満であるゾーンである。
【００４７】
図３において符号Ｌ１、Ｌ２、Ｌ３及びＬ４で示されているのは、いずれも、ｘｙ平面上に存在し、原点Ｏを通過する直線である。直線Ｌ１は、原点Ｏにおいて直線Ｌ２と交差している。直線Ｌ１と直線Ｌ２との交角は、４５°である。直線Ｌ２は、原点Ｏにおいて直線Ｌ３と交差している。直線Ｌ２と直線Ｌ３との交角は、４５°である。直線Ｌ３は、原点Ｏにおいて直線Ｌ４と交差している。直線Ｌ３と直線Ｌ４との交角は、４５°である。直線Ｌ４は、原点Ｏにおいて直線Ｌ１と交差している。直線Ｌ４と直線Ｌ１との交角は、４５°である。
【００４８】
図３には、ゾーンＩからVIIIが示されている。ゾーンＩからVIIIは、いずれも、円１８の外側に位置している。換言すれば、ゾーンＩからVIIIは、いずれも、彩度が１５を超えているゾーンである。ゾーンＩは、直線Ｌ４と直線Ｌ１とに挟まれている。ゾーンIIは、直線Ｌ１と直線Ｌ２とに挟まれている。ゾーンIIIは、直線Ｌ２と直線Ｌ３とに挟まれている。ゾーンIVは、直線Ｌ３と直線Ｌ４とに挟まれている。ゾーンＶは、直線Ｌ４と直線Ｌ１とに挟まれている。ゾーンVIは、直線Ｌ１と直線Ｌ２とに挟まれている。ゾーンVIIは、直線Ｌ２と直線Ｌ３とに挟まれている。ゾーンVIIIは、直線Ｌ３と直線Ｌ４とに挟まれている。
【００４９】
原点Ｏからｙ軸の正に向かう線が基準とされ、時計回りが正の回転方向とされたとき、それぞれのゾーンの角度の範囲は、下記の通りである。
ゾーンＩ  ：−２２．５°以上２２．５°未満
ゾーンII  ：２２．５°以上６７．５°未満
ゾーンIII ：６７．５°以上１１２．５°未満
ゾーンIV  ：１１２．５°以上１５７．５°未満
ゾーンＶ  ：１５７．５°以上２０２．５°未満
ゾーンVI  ：２０２．５°以上２４７．５°未満
ゾーンVII ：２４７．５°以上２９２．５°未満
ゾーンVIII：２９２．５°以上３３７．５°未満
【００５０】
ゾーンＩは、ゾーンVIIIと隣接している。ゾーンIIは、ゾーンＩと隣接している。ゾーンIIIは、ゾーンIIと隣接している。ゾーンIVは、ゾーンIIIと隣接している。ゾーンＶは、ゾーンIVと隣接している。ゾーンVIは、ゾーンＶと隣接している。ゾーンVIIは、ゾーンVIと隣接している。ゾーンVIIIは、ゾーンVIIと隣接している。
【００５１】
ゾーンIXは、円１８の内側であって、直線Ｌ４と直線Ｌ１とに挟まれている。ゾーンIXは、ゾーンＩの内側に位置している。ゾーンＸは、円１８の内側であって、直線Ｌ４と直線Ｌ１とに挟まれている。ゾーンＸは、ゾーンＶの内側に位置している。ゾーンIX及びゾーンＸの角度の範囲は、下記の通りである。
ゾーンIX：−２２．５°以上２２．５°未満
ゾーンＸ：１５７．５°以上２０２．５°未満
【００５２】
中間層１２が着色されている場合、この中間層１２の色相のｘｙ座標は、８つのゾーンＩ−VIIIのいずれかに属している。換言すれば、中間層１２の色相のｘｙ座標は、円１８の外側に位置している。中間層１２の色相は、中間層１２の樹脂組成物から成形された、厚みが２．０ｍｍであるスラブにおいて測定される。測定のとき、このスラブは、白色のプレートの上に置かれる。測定は、ミノルタ社の色彩色差計「ＣＭ−３５００ｄ」によってなされる。受光部がスラブの表面に当てられ、測定がなされる。光源には、「標準の光Ｄ６５」が採用される。この光源の色温度は、６５０４ｋである。分光感度としては、「２°視野」が採用される。孔径として、３ｍｍが採用される。
【００５３】
中間層１２が無色透明であるときは、センター１０の色相のｘｙ座標が、８つのゾーンＩ−VIIIのいずれかに属する。上記色彩色差径の受光部がセンター１０の表面に当てられることにより、センター１０の色相が測定される。
【００５４】
カバー６の色相のｘｙ座標は、８つのゾーンＩ−VIIIのいずれかに属している。換言すれば、カバー６の色相のｘｙ座標は、円１８の外側に位置している。カバー６の色相は、カバー６の樹脂組成物から成形された、厚みが２．０ｍｍであるスラブにおいて測定される。中間層１２の色相と同様の方法によって、カバー６の色相が測定される。
【００５５】
中間層１２が着色されている場合、カバー６の色相のｘｙ座標が属するゾーンは、中間層１２の色相のｘｙ座標が属するゾーンとは異なっている。カバー６の色相のｘｙ座標が属するゾーンは、中間層１２の色相のｘｙ座標が属するゾーンと隣接していない。換言すれば、カバー６の色相は、中間層１２の色相とは大幅に異なる。ディンプル１４の色相は、中間層の色相の影響を強く受ける。ランド１６の色相は、カバー６の色相の影響を強く受ける。このゴルフボール２では、ディンプル１４の色相とランド１６の色相とが大幅に異なる。このゴルフボール２は、特徴的な外観を呈する。この外観は、斬新である。このゴルフボール２は、他のゴルフボール２と識別されやすい。
【００５６】
中間層１２及びカバー６のゾーンの好ましい組み合わせは、以下の通りである。
中間層          カバー
ゾーンＩ        ゾーンIII
ゾーンＩ        ゾーンIV
ゾーンＩ        ゾーンＶ
ゾーンＩ        ゾーンVI
ゾーンＩ        ゾーンVII
ゾーンII        ゾーンIV
ゾーンII        ゾーンＶ
ゾーンII        ゾーンVI
ゾーンII        ゾーンVII
ゾーンII        ゾーンVIII
ゾーンIII       ゾーンＩ
ゾーンIII       ゾーンＶ
ゾーンIII       ゾーンVI
ゾーンIII       ゾーンVII
ゾーンIII       ゾーンVIII
ゾーンIV        ゾーンＩ
ゾーンIV        ゾーンII
ゾーンIV        ゾーンVI
ゾーンIV        ゾーンVII
ゾーンIV        ゾーンVIII
ゾーンＶ        ゾーンＩ
ゾーンＶ        ゾーンII
ゾーンＶ        ゾーンIII
ゾーンＶ        ゾーンVII
ゾーンＶ        ゾーンVIII
ゾーンVI        ゾーンＩ
ゾーンVI        ゾーンII
ゾーンVI        ゾーンIII
ゾーンVI        ゾーンIV
ゾーンVI        ゾーンVIII
ゾーンVII       ゾーンＩ
ゾーンVII       ゾーンII
ゾーンVII       ゾーンIII
ゾーンVII       ゾーンIV
ゾーンVII       ゾーンＶ
ゾーンVIII      ゾーンII
ゾーンVIII      ゾーンIII
ゾーンVIII      ゾーンIV
ゾーンVIII      ゾーンＶ
ゾーンVIII      ゾーンVI
【００５７】
中間層１２が無色透明であるときは、カバー６の色相のｘｙ座標が属するゾーンは、センター１０の色相のｘｙ座標が属するゾーンとは異なっている。カバー６の色相のｘｙ座標が属するゾーンは、センター１０の色相のｘｙ座標が属するゾーンと隣接していない。換言すれば、カバー６の色相は、センター１０の色相とは大幅に異なる。このゴルフボール２では、ディンプル１４の色相とランド１６の色相とが大幅に異なる。このゴルフボール２は、特徴的な外観を呈する。この外観は、斬新である。このゴルフボール２は、他のゴルフボール２と識別されやすい。
【００５８】
ディンプル１４の最深部の直下におけるカバー６の厚みＴ１と、ランド１６の直下におけるカバー６の厚みＴ２との比（Ｔ１／Ｔ２）は、０．５０以上０．８０以下が好ましい。比（Ｔ１／Ｔ２）が０．５０以上であるゴルフボール２は、耐久性に優れる。この観点から、比（Ｔ１／Ｔ２）は０．５５以上が特に好ましい。比（Ｔ１／Ｔ２）が０．８０以下であるゴルフボール２では、ディンプル１４の色相とランド１６の色相とが大幅に異なりうる。この観点から、比（Ｔ１／Ｔ２）は０．７０以下が特に好ましい。ディンプル１４の色相とランド１６の色相とが大幅に異なりうるとの観点から、厚みＴ２と厚みＴ１との差（Ｔ２−Ｔ１）は０．１ｍｍ以上が好ましい。
【００５９】
ゴルフボール２の耐久性の観点から、厚みＴ１は０．１５ｍｍ以上が好ましく、０．２０ｍｍ以上が特に好ましい。ディンプル１４の色相に対する中間層１２の色相の影響が大きいとの観点から、厚みＴ１は２．０ｍｍ以下が好ましく、１．０ｍｍ以下が特に好ましい。
【００６０】
カバー６の樹脂組成物における顔料及び染料の合計量は、基材樹脂１００質量部に対して０．５質量部以上３．０質量部以下が好ましい。この合計量が０．５質量部以上であるカバー６では、ランド１６の色相に対する中間層１２の色相の影響が小さい。この観点から、この合計量は０．７質量部以上がより好ましく、１．０質量部以上が特に好ましい。この合計量が３．０質量部以下であるカバー６では、ディンプル１４の色相に対する中間層１２の色相の影響が大きい。この観点から、この合計量は２．５質量部以下が特に好ましい。
【００６１】
カバー６の樹脂組成物における二酸化チタンの量は、基材樹脂１００質量部に対して０．０１質量部以上０．１質量部以下が好ましい。この量が０．０１質量部以上であるカバー６では、ランド１６の色相に対する中間層１２の色相の影響が小さい。この観点から、この量は０．０２質量部以上が特に好ましい。この量が０．１質量部以下であるカバー６では、ディンプル１４の色相に対する中間層１２の色相の影響が大きい。この観点から、この量は０．０８質量部以下が特に好ましい。
【００６２】
クリアー層８は、カバー６を覆っている。クリアー層８により、カバー６が保護される。クリアー層８により、ゴルフボール２の優れた外観が達成される。クリアー層８は、塗料の塗布によって形成されている。静電塗装、スプレーガン塗装、刷毛塗り等が、採用されうる。塗料の基材樹脂として、ポリウレタン、エポキシ樹脂、ポリエステル、アクリル樹脂、セルロース樹脂等が例示される。クリアー層８の耐久性の観点から、二液硬化型ポリウレタンが好ましい。
【００６３】
二液硬化型ポリウレタンは、主剤と硬化剤との反応によって得られる。ポリオール成分を含有する主剤とポリイソシアネート（ポリイソシアネート誘導体を含む）を含有する硬化剤との反応によって得られる二液硬化型ポリウレタンが好ましい。
【００６４】
クリアー層８は、マトリクス樹脂中に分散した多数の偏光粒子を含んでいる。好ましい偏光粒子は、核とコート層とからなる。核の具体例として、雲母が挙げられる。コート層の材質の具体例として、酸化チタンが挙げられる。クリアー層８に浸入した光線の一部は、コート層において反射する。クリアー層８に浸入した光線の一部は、コート層を通過し、核において反射する。コート層における反射光は、核における反射光と干渉する。この干渉により、ゴルフボール２に光輝性が付与される。光輝性を有するゴルフボール２の外観は、従来のゴルフボール２の外観とは異なる。このゴルフボール２は、視認性及び識別性に優れる。さらに、光輝性を有するゴルフボール２は、高級感に優れる。
【００６５】
偏光粒子は、フレーク状である。フレーク状の偏光粒子では、干渉作用に方向性がある。この複合粒子の色相は、見る角度に応じて変動する。フレーク状の偏光粒子が分散することにより、ゴルフボール２に偏光性が付与される。この偏光性により、ゴルフボール２の視認性、識別性及び高級感が達成される。
【００６６】
図示されていないが、ゴルフボール２が、コア４とカバー６との間に補強層を備えてもよい。補強層は、コア４の最外層である中間層１２と堅固に密着し、カバー６とも堅固に密着する。補強層は、中間層１２からのカバー６の剥離を抑制する。補強層の基材ポリマーとしては、二液硬化型エポキシ樹脂及び二液硬化型ウレタン樹脂が例示される。
【００６７】
ディンプル１４の色相に対する中間層１２の色相の影響を阻害しないとの観点から、補強層の色相は無色透明か、白色透明であることが好ましい。ディンプル１４の色相に対する中間層１２の色相の影響を阻害しないとの観点から、補強層の厚みは０．０５ｍｍ以下が好ましく、０．０１ｍｍ以下が特に好ましい。
【実施例】
【００６８】
以下、実施例によって本発明の効果が明らかにされるが、この実施例の記載に基づいて本発明が限定的に解釈されるべきではない。
【００６９】
［実施例１］
１００質量部のハイシスポリブタジエン（ＪＳＲ社の商品名「ＢＲ７３０」）、１０．６５質量部のフィンコ、３８質量部のアクリル酸亜鉛（三新化学工業社の商品名「サンセラーＳＲ」）８．５質量部の酸化亜鉛（Ｐ．Ｔ．  ＩＮＤＯ  ＬＹＳＡＧＨＴ社の商品名「ホワイトシール」）、５．０質量部の二酸化チタン、０．５質量部のジフェニルジスルフィド及び０．７質量部のジクミルパーオキサイド（日本油脂社）を混練し、ゴム組成物を得た。このゴム組成物を共に半球状キャビティを備えた上型及び下型からなる金型に投入し、１７０℃で１８分間加熱して、直径が４０．００ｍｍであるセンターを得た。このセンターの色相は、概ね白であった。
【００７０】
５０質量部のアイオノマー樹脂（前述の「ハイミラン１６０５」）、５０質量部の他のアイオノマー樹脂（前述の「ハイミランＡＭ７３２９」）、１質量部の着色剤（前述の「ＺＱ−１７」及び０．０５質量部の二酸化チタンを二軸混練押出機で混練し、樹脂組成物を得た。この樹脂組成物の色相は黄色であり、そのｘｙ座標はゾーンＩに含まれる。この樹脂組成物は、不透明である。この樹脂組成物を射出成形法にてコアの周りに被覆し、中間層を形成した。この中間層の厚みは、１．０ｍｍであった。
【００７１】
二液硬化型エポキシ樹脂を基材ポリマーとする塗料組成物（神東塗料社の商品名「ポリン７５０ＬＥ）を調製した。この塗料組成物の主剤液は、３０質量部のビスフェノールＡ型固形エポキシ樹脂と、７０質量部の溶剤とからなる。この塗料組成物の硬化剤液は、４０質量部の変性ポリアミドアミンと、５５質量部の溶剤と、５質量部の酸化チタンとからなる。主剤液と硬化剤液との質量比は、１／１である。この塗料組成物を中間層の表面にスプレーガンで塗布し、２３℃の雰囲気下で６時間保持して、補強層を得た。この補強層の厚みは、０．０１ｍｍであった。
【００７２】
１００質量部の熱可塑性ポリウレタンエラストマー（前述の「エラストランＸＮＹ８８Ａ（クリアー）」、１質量部の着色剤（前述の「ＧＰＬ１１」及び０．０５質量部の二酸化チタンを二軸押出機で混練し、樹脂組成物を得た。この樹脂組成物の色相はピンクであり、そのｘｙ座標はゾーンIVに含まれる。この樹脂組成物は、透明である。この樹脂組成物から、圧縮成形法にて、ハーフシェルを得た。このハーフシェル２枚で、コア、中間層及び補強層からなる球体を被覆した。このハーフシェル及び球体を、共に半球状キャビティを備え、キャビティ面に多数のピンプルを備えた上型及び下型からなるファイナル金型に投入し、圧縮成形法にてカバーを得た。カバーの厚みは、０．３５ｍｍであった。カバーには、ピンプルの形状が反転した形状を有するディンプルが多数形成された。このカバーの周りに二液硬化型ポリウレタンを基材とするクリアー塗料を塗装し、直径が約４２．７ｍｍであり質量が約４５．６である実施例１のゴルフボールを得た。
【００７３】
［実施例２−２１及び比較例１−１４］
センター、中間層、カバー及びディンプルの仕様を下記の表１−７に示される通りとした他は実施例１と同様にして、実施例２−２１及び比較例１−１４のゴルフボールを得た。センターの組成の詳細が、下記の表８に示されている。中間層の組成の詳細が、下記の表９−１０に示されている。カバーの組成の詳細が、下記の表１１に示されている。
【００７４】
［視認性］
芝生の上に、ゴルフボールを置いた。このボールから１５０ｍ離れた地点にいる１０名のゴルファーに、視認性を評価させた。ボールが見やすいと評価したゴルファーの人数に基づき、下記の格付けを行った。
Ａ：９人以上
Ｂ：７人以上８人以下
Ｃ：４人以上６人以下
Ｄ：３人以下
この結果が、下記の表１から７に示されている。
【００７５】
［識別性］
各ゴルフボールを、それぞれ、コンベンショナルな白色ゴルフボールと共に芝生の上に置いた。このボールから５ｍ離れた１０名のゴルファーに、コンベンショナルなゴルフボールとの識別が可能か否か、評価させた。容易に識別できたゴルファーの人数に基づき、下記の格付けを行った。
Ａ：９人以上
Ｂ：７人以上８人以下
Ｃ：４人以上６人以下
Ｄ：３人以下
この結果が、下記の表１から７に示されている。
【００７６】
［斬新性］
１０名のゴルファーに、各のゴルフボールの外観を、市販のカラーボールと比較させた。斬新性があると評価したゴルファーの人数に基づき、下記の格付けを行った。
Ａ：９人以上
Ｂ：７人以上８人以下
Ｃ：４人以上６人以下
Ｄ：３人以下
この結果が、下記の表１から７に示されている。
【００７７】
【表１】
0005882636.tif 000002
【００７８】
【表２】
0005882636.tif 000003
【００７９】
【表３】
0005882636.tif 000004
【００８０】
【表４】
0005882636.tif 000005
【００８１】
【表５】
0005882636.tif 000006
【００８２】
【表６】
0005882636.tif 000007
【００８３】
【表７】
0005882636.tif 000008
【００８４】
【表８】
0005882636.tif 000009
【００８５】
【表９】
0005882636.tif 000010
【００８６】
【表１０】
0005882636.tif 000011
【００８７】
【表１１】
0005882636.tif 000012
【００８８】
表１−７に示されるように、各実施例のゴルフボールの評価は高い。この評価結果から、本発明の優位性は明らかである。
【産業上の利用可能性】
【００８９】
本発明に係るゴルフボールは、ゴルフ場でのプレーや、練習場でのプラクティスに用いられうる。
【符号の説明】
【００９０】
２・・・ゴルフボール
４・・・コア
６・・・カバー
８・・・クリアー層
１０・・・センター
１２・・・中間層
１４・・・ディンプル
１６・・・ランド
【図１】
0005882636.tif 000013
【図２】
0005882636.tif 000014
【図３】
0005882636.tif 000015